(57)【特許請求の範囲】
【請求項１】
ユーザ機器(UE)においてアップリンク制御チャネルオーバーヘッドを低減させる方法であって、
前記UEの総送信電力が割り振られた電力を超えていると判定するステップと、
前記UEの前記総送信電力が前記割り振られた電力を超えていると判定したことに応答して、高速専用物理制御チャネル(HS-DPCCH)が低減した送信電力によって送信されるように専用物理制御チャネル(DPCCH)の電力に対する前記HS-DPCCHの電力の比を低くするために、前記HS-DPCCHの送信電力を前記DPCCHの送信電力に対してスケーリングするステップと、
前記UEの前記総送信電力が前記割り振られた電力を超えていることの指示を送信するステップであって、前記指示は、前記DPCCHのトランスポートフォーマット組合せインデックス(TFCI)フィールドを通じてシグナリングされる、ステップと
を含む方法。
【請求項２】
前記HS-DPCCHの前記送信電力をスケーリングするステップは、前記HS-DPCCHのチャネル品質インジケータ(CQI)部分を送信するための電力の量を低減させるステップを含む、請求項1に記載の方法。
【請求項３】
前記UEがダウンリンク活動を有さないと判定するステップをさらに含み、前記HS-DPCCHの前記送信電力をスケーリングする前記ステップはさらに、前記UEがダウンリンク活動を有さないと判定したことに応答して行われる、請求項1に記載の方法。
【請求項４】
前記UEがダウンリンク活動を有さないと判定するステップは、前のダウンリンク送信から既定の期間が満了したと判定するステップを含む、請求項3に記載の方法。
【請求項５】
前記UEがダウンリンク活動を有さないと判定したことに応答してCQIサイクルを減らすステップをさらに含む、請求項3に記載の方法。
【請求項６】
前記指示は、前記TFCIフィールドの少なくとも最上位ビットによって提供される、請求項1に記載の方法。
【請求項７】
前記指示は、値が0であるCQIである、請求項1に記載の方法。
【請求項８】
ダウンリンク送信が既定のサブフレーム数以内に発生するとの指示を受信するステップと、前記指示に応答してスケーリングされていない送信電力によって前記指示に続くサブフレームの前記HS-DPCCHを送信するステップとをさらに含む、請求項1に記載の方法。
【請求項９】
ダウンリンク送信が差し迫っていることの前記指示は、高速共有制御チャネル(HS-SCCH)命令によって提供される、請求項8に記載の方法。
【請求項１０】
前記HS-DPCCHは、前記DPCCHに任意のスケーリングが適用される前に前記DPCCHに対してスケーリングされる、請求項1に記載の方法。
【請求項１１】
ユーザ機器(UE)においてアップリンク制御チャネルオーバーヘッドを低減させるための装置であって、
前記UEの総送信電力が割り振られた電力を超えていると判定するための手段と、
前記UEの前記総送信電力が前記割り振られた電力を超えていると判定したことに応答して、高速専用物理制御チャネル(HS-DPCCH)が低減した送信電力によって送信されるように専用物理制御チャネル(DPCCH)の電力に対する前記HS-DPCCHの電力の比を低くするために、前記HS-DPCCHの送信電力を前記DPCCHの送信電力に対してスケーリングするための手段と、
前記UEの前記総送信電力が前記割り振られた電力を超えていることの指示を送信する手段であって、前記指示は、前記DPCCHのトランスポートフォーマット組合せインデックス(TFCI)フィールドを通じてシグナリングされる、手段と
を備える装置。
【請求項１２】
ユーザ機器(UE)におけるアップリンク制御チャネルオーバーヘッドを低減させるためのコンピュータ実行可能コードを記憶するコンピュータ可読記憶媒体であって、前記UEに請求項１〜１０のいずれか一項に記載の方法を実行させるためのコードを含むコンピュータ可読記憶媒体。
【発明の詳細な説明】
【技術分野】
【０００１】
優先権の主張
本特許出願は、本出願の譲受人に譲渡され、その全体が参照により本明細書に明確に組み込まれる、2014年10月16日に出願された“MECHANISMS FOR HS-DPCCH OVERHEAD REDUCTION TO IMPROVE COVERAGE IN MULTI-RAB SCENARIOS"と題する米国非仮特許出願第14/516,276号、および2014年3月21日に出願された“MECHANISMS FOR HS-DPCCH OVERHEAD REDUCTION TO IMPROVE COVERAGE IN MULTI-RAB SCENARIOS"と題する米国仮特許出願第61/969,014号の優先権を主張する。
【背景技術】
【０００２】
ワイヤレス通信ネットワークは、電話、ビデオ、データ、メッセージング、ブロードキャストなどの様々な通信サービスを提供するために広く展開されている。通常、複数のアクセスネットワークであるそのようなネットワークは、利用可能なネットワークリソースを共有することによって複数のユーザ向けの通信をサポートする。そのようなネットワークの一例は、UMTS地上波無線アクセスネットワーク(UTRAN)である。UTRANは、第3世代パートナーシッププロジェクト(3GPP)によってサポートされる第3世代(3G)モバイルフォン技術である、Universal Mobile Telecommunications System(UMTS)の一部として定義された無線アクセスネットワーク(RAN)である。UMTSは、モバイル通信用グローバルシステム(GSM(登録商標): Global System for Mobile Communications)技術の後継であり、広帯域符号分割多元接続(W-CDMA)、時分割符号分割多元接続(TD-CDMA)、および時分割同期符号分割多元接続(TD-SCDMA)などの様々なエアインターフェース規格を現在サポートしている。また、UMTSは、関連するUMTSネットワークへより高いデータ転送速度および容量を提供する、High Speed Packet Access(HSPA)などの拡張3Gデータ通信プロトコルもサポートする。
【０００３】
モバイルブロードバンドアクセスに対する需要が高まり続ける中で、モバイルブロードバンドアクセスに対して高まる需要を満たすためだけではなく、モバイル通信のユーザ体験を進化させて向上させるために、研究開発はUMTS技術を進化させ続けている。
【発明の概要】
【発明が解決しようとする課題】
【０００４】
ユーザ機器(UE)が多重無線アクセスベアラ(マルチRAB)動作モードで構成され電力制限されるとき、送信電力が制限されることに起因して呼ドロップが生じる場合がある。特に、専用物理制御チャネル(DPCCH)および専用物理データチャネル(DPCCH)に呼を維持するのに不十分な送信電力レベルが割り振られる場合がある。したがって、UEがマルチRAB動作モードであり、送信用に割り振られる電力が制限されているときには、送信電力がより有効に使用される方法を特定することが望ましい。
【課題を解決するための手段】
【０００５】
本開示では、ユーザ機器(UE)におけるアップリンク制御チャネルオーバーヘッドを低減させることを可能にする。UEは、UEの総送信電力が割り振られた電力を超えていると判定する場合がある。UEは次いで、UEが電力制限されていると判定したことに応答して、高速専用物理制御チャネル(HS-DPCCH)の送信電力を専用物理制御チャネル(DPCCH)に対してスケーリングしてもよい。UEは、たとえば、タイマが満了することによって、ダウンリンク活動がないことが判定されたときに、HS-DPCCHの送信電力をスケーリングしてもよい。一態様では、UEは、たとえば、トランスポートフォーマット組合せインデックスの最上位ビットを使用することによって、UEが電力制限されていることの指示(indication)を送信してもよい。別の態様では、UEは、ダウンリング送信が差し迫っていることの指示を受信する場合があり、UEは、それに応答して、対応する送信電力をスケーリングすることなくHS-DPCCHを送信してもよい。
【０００６】
一態様では、本開示は、UEにおけるアップリンク制御チャネルオーバーヘッドを低減させる方法を提供する。この方法は、UEの総送信電力が割り振られた電力を超えていると判定するステップを含んでもよい。この方法は、UEの総送信電力が割り振られた電力を超えていると判定したことに応答して、高速専用物理制御チャネル(HS-DPCCH)の送信電力を専用物理制御チャネル(DPCCH)に対してスケーリングするステップをさらに含んでもよい。
【０００７】
別の態様では、本開示は、UEにおけるアップリンク制御チャネルオーバーヘッドを低減させるための装置を提供する。この装置は、UEの総送信電力が割り振られた電力を超えていると判定するための手段を含んでもよい。この装置は、UEの総送信電力が割り振られた電力を超えていると判定したことに応答して、HS-DPCCHの送信電力をDPCCHに対してスケーリングするための手段をさらに含んでもよい。
【０００８】
別の態様では、本開示は、UEにおけるアップリンク制御チャネルオーバーヘッドを低減させるための別の装置を提供する。この装置は、UEの総送信電力が割り振られた電力を超えていると判定するように構成された電力制御構成要素を含んでもよい。この装置は、UEの総送信電力が割り振られた電力を超えていると判定したことに応答して、HS-DPCCHの送信電力をDPCCHに対してスケーリングするように構成されたチャネルスケーリング構成要素をさらに含んでもよい。
【０００９】
本開示の別の態様は、UEにおけるアップリンク制御チャネルオーバーヘッドを低減させるためのコンピュータ実行可能コードを記憶するコンピュータ可読記憶媒体を提供する。このコンピュータ可読記憶媒体は、UEの総送信電力が割り振られた電力を超えていると判定するためのコードと、UEの総送信電力が割り振られた電力を超えていると判定したことに応答して、HS-DPCCHの送信電力をDPCCHに対してスケーリングするためのコードとを含んでもよい。
【００１０】
本開示のこれらの態様は、以下の詳細な説明を検討すれば、より十分に理解されるであろう。
【図面の簡単な説明】
【００１１】
【図１】ネットワークと通信しているユーザ機器を概念的に示す図である。
【図２】アップリンク送信電力を制御する方法を概念的に示す流れ図である。
【図３】電力スケーリングを概念的に示す図である。
【図４】ユーザ機器とネットワークとの間の通信を概念的に示す図である。
【図５】処理システムを利用する装置のためのハードウェア実装形態の一例を概念的に示す図である。
【図６】通信システムの一例を概念的に示すブロック図である。
【図７】アクセスネットワークの一例を示す概念図である。
【図８】無線プロトコルアーキテクチャを示す概念図である。
【図９】通信システムにおいてUEと通信しているノードBの例を概念的に示すブロック図である。
【発明を実施するための形態】
【００１２】
添付の図面に関して以下に説明される詳細な説明は、種々の構成を説明することを意図しており、本明細書において説明される概念を実践することができる唯一の構成を表すことは意図していない。詳細な説明は、様々な概念の完全な理解を提供するために具体的な詳細を含む。しかしながら、これらの概念がこれらの具体的な詳細なしに実践され得ることは当業者に明らかであろう。場合によっては、そのような概念を曖昧にすることを回避するために、よく知られている構造および構成要素がブロック図の形態で示されている。
【００１３】
多重無線アクセスベアラ(マルチRAB)シナリオでは、ユーザ機器(UE)は、ネットワークとの複数のワイヤレス接続を有する場合がある。たとえば、UEは、回線交換ボイス呼用の第1の無線アクセスベアラを有してもよく、パケット交換データサービス用の第2の無線アクセスベアラを有してもよい。マルチRABシナリオにおいて動作するUEは、電力の制限を受けることがある。たとえば、干渉を低減させるために、UEに、すべての所望のチャネルを所望のレベルで送信するには不十分な最大送信電力が割り当てられる場合がある。すなわち、UEに割り振られる送信電力は、UEの総送信電力要件を満たすのに十分ではない。そのような状況では、不十分な電力によって極めて重要なチャネル(たとえば、制御チャネルおよび/またはデータチャネル)が送信され、呼がドロップされる場合がある。
【００１４】
一態様では、UEは、マルチRABシナリオにおいて電力が制限されているときに、高速専用物理制御チャネル(HS-DPCCH)の送信電力を低減させることによってアップリンク送信電力を低減させてもよい。HS-DPCCH用の送信電力は、専用物理制御チャネル(DPCCH)を含む他のアップリンクチャネルとは独立にスケーリングまたは調整されてもよい。一態様では、HS-DPCCHの送信電力は、ダウンリンク高速専用共有チャネル(HS-DSCH)上で受信されるデータがないときに独立にスケーリングされてもよい。一例では、HS-DPCCHは、ダウンリンクHS-DSCH上で受信されるデータがないときにのみ独立にスケーリングされてもよい。別の態様では、HS-DPCCHの一部、たとえば、チャネル品質インジケータ(CQI)を伝送する部分が独立にスケーリングされてもよい。UEは、サービングセルがダウンリンク送信を停止することができるように電力制限条件をシグナリングしてもよい。たとえば、UEは、トランスポートフォーマット組合せインジケータ(TFCI)を使用してUEの電力制限条件をサービングセルにシグナリングしてもよい。サービングセルは、ダウンリンクデータ送信が差し迫っていることの指示を生成してもよく、UEは、スケーリングされていないHS-DPCCHを提示してダウンリンク送信に関する正しいチャネル情報(たとえば、CQI)を提供してもよい。
【００１５】
図1を参照すると、一態様では、ワイヤレス通信システム10は、少なくとも1つのネットワークエンティティ14(たとえば、基地局)の通信カバレッジ内の少なくとも1つのUE12を含む。たとえば、UE12は、ネットワークエンティティ14を介していてネットワーク16と通信してもよい。いくつかの態様では、UE12を含む複数のUEが、ネットワークエンティティ14を含む1つまたは複数のネットワークエンティティを含む通信カバレージ内にあってもよい。一例では、UE12は、ネットワークエンティティ14との間でワイヤレス通信を送信および/または受信してもよい。たとえば、UEは、アップリンク信号40を送信し、ダウンリンク信号50を受信してもよい。UE12は、たとえばネットワークエンティティ15などの別のネットワークエンティティに対する干渉を防止するように電力が制御される場合がある。たとえば、UE12には、アップリンク信号40用に限られた量の電力が割り振られる場合がある。
【００１６】
いくつかの態様では、UE12はまた、当業者によって(ならびに本明細書において互換的に)、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、端末、ユーザエージェント、モバイルクライアント、クライアントと呼ばれるか、または他の何らかの適切な用語で呼ばれることもある。加えて、ネットワークエンティティ14は、スモールセル、マクロセル、ピコセル、フェムトセル、中継器、ノードB、モバイルノードB、(たとえば、ピアツーピアまたはアドホックモードでUE12と通信する)UE、またはUE12においてワイヤレスネットワークアクセスを実現するためにUE12と通信することができる実質的にあらゆるタイプの構成要素であってもよい。
【００１７】
本明細書で使用する「スモールセル」という用語は、マクロセルの送信電力および/またはカバレージエリアと比較して、相対的に低い送信電力および/または相対的に小さいカバレージエリアのセルを指す。さらに、「スモールセル」という用語は、限定はしないが、フェムトセル、ピコセル、アクセスポイント基地局、ホームノードB、フェムトアクセスポイント、またはフェムトセルなどのセルを含み得る。たとえば、マクロセルは、限定はしないが、半径数キロメートルなどの比較的大きい地理的エリアをカバーすることができる。対照的に、ピコセルは、限定はしないが、建物などの相対的に小さい地理的エリアをカバーすることができる。さらに、フェムトセルも、限定はしないが、家、または建物のフロアなどの相対的に小さい地理的エリアをカバーすることができる。
【００１８】
本態様によれば、UE12は、アップリンク電力を制御するように構成されてもよいモデム構成要素20を含んでもよい。たとえば、モデム構成要素20は、1つまたは複数のアップリンクチャネルにおいて使用される送信電力を制御するように構成されてもよい。モデム構成要素20は、ダウンリンク活動タイマ22と、電力制御構成要素24と、フィードバックコントローラ30とを含んでもよい。一態様では、本明細書で使用する「構成要素」という用語は、システムを構成するパーツのうちの1つであってもよく、ハードウェアまたはソフトウェアであってもよく、他の構成要素に分割されてもよい。
【００１９】
ダウンリンク活動タイマ22は、UE12がダウンリンク活動を有するかどうかを判定または検出するためのハードウェアまたは手段を含んでもよい。一態様では、ダウンリンク活動タイマ22は、前のダウンリンク送信、たとえば、ダウンリンク信号50の一部である場合もある高速専用共有チャネル(HS-DSCH)52上のデータ送信以後の設定可能な期間を測定するように構成されてもよい。たとえば、ダウンリンク活動タイマ22は、直前のダウンリンク送信の時間または直前のダウンリンク送信以後の単位時間数を記憶するメモリであってもあるいはそのメモリを含んでもよい。ダウンリンク活動タイマ22は、直前のダウンリンク送信以後の設定可能な期間内に後続のダウンリンク送信が発生していないときには満了してもよい。一態様では、ダウンリンク活動タイマ22は、ダウンリンク送信が受信されたときに必ずリセットされてもよい。ダウンリンク活動タイマ22は他のチャネル上のダウンリンク送信を無視してもよい。たとえば、絶対グラント、相対グラント、ページングメッセージ、フィードバック、およびその他のシグナリングは、ダウンリンク活動タイマ22に関するダウンリンク送信とは見なされない場合がある。
【００２０】
電力制御構成要素24は、アップリンクチャネルの電力レベル(たとえば、送信電力)を制御するためのハードウェアまたは手段を含んでもよい。一態様では、たとえば、電力制御構成要素24は、アップリンクチャネルの電力レベルを制御するためのファームウェアまたはソフトウェアを実行するプロセッサを含んでもよく、あるいはそのプロセッサによって実行可能であってもよい。たとえば、電力制御構成要素24は、UE12が電力制限されていると判定するように構成されてもよい。一態様では、電力制御構成要素24は、ひいては受信グラントおよび電力制御コマンドに基づき得る最大許容送信電力に基づいてUE12が電力制限されていると判定してもよい。UE12は、絶対グラントチャネル(AGCH)上のグラントおよび相対グラントチャネル(RGCH)上の受信電力制御コマンドを受信してもよい。UE12は、UE12の利用可能な送信電力によって電力が制限される場合もある。電力制御構成要素24は、アップリンクチャネルのすべてを送信するのに必要な電力が最大許容送信電力を超えているときにUE12が電力制限されていると判定するように構成されてもよい。したがって、電力が制限されたUEであることは、たとえば、UEの最大の割り振られた送信電力または許容された送信電力を超える送信電力要件を有することを指す場合がある。電力が制限された条件は、電力ヘッドルームに関して表される場合もある。電力ヘッドルームは、最大許容送信電力と現在の送信電力との間の差であってもよい。UE12は、電力ヘッドルームが零であるかまたは負値であるときに電力が制限されることがある。
【００２１】
一態様では、電力制御構成要素24は、高速専用物理制御チャネル(HS-DPCCH)42の送信電力を独立に制御してもよい。HS-DPCCH42は、アップリンク信号40の一部であり、ダウンリンク活動をスケジューリングするためにノードB(たとえば、ネットワークエンティティ14)によって使用される、肯定応答(ACK)とチャネル品質インジケータ(CQI)とを含むフィードバック情報を伝送してもよい。一態様では、電力制御構成要素24は、UEが電力制限されておりならびに/あるいはUEがダウンリンク活動を有さないときにHS-DPCCH42の送信電力を低減させるように構成されてもよい。電力制御構成要素24は、ステータスシグナリング構成要素26とチャネルスケーリング構成要素28とを含んでもよい。
【００２２】
ステータスシグナリング構成要素26は、UE12の電力ステータスをシグナリングするためのハードウェアまたは手段を含んでもよい。たとえば、ステータスシグナリング構成要素26は、UE12が電力制限されていることの指示を送信するように構成されてもよい。一態様では、たとえば、ステータスシグナリング構成要素26は、UE12が電力制限されていることの指示を送信するためのファームウェアまたはソフトウェアを実行するプロセッサを含んでもよく、あるいはそのプロセッサによって実行可能であってもよい。ステータスシグナリング構成要素26は、シグナリング指示または電力ステータス指示を送信するためのトランスミッタ(図示せず)を含んでもよい。一態様では、すべてのアップリンクチャネルの必要な総送信電力が最大許容送信電力を超えていると電力制御構成要素24によって判定されたときにUE12は電力が制限されることがある。ステータスシグナリング構成要素26は、UE12が電力制限されていることを検出し、アップリンクチャネルにおいて指示を送信してもよい。一態様では、たとえば、シグナリング構成要素26は、トランスポートフォーマット組合せインジケータ(TFCI)を使用してUE12の電力ステータスを示してよい。TFCIは一般に、アップリンクデータ送信に使用されるトランスポートフォーマット組合せを示してもよい。TFCIはDPCCH44上で送信されてもよい。一態様では、E-DCH46上で送信されE-DCH46上で送信されるデータのフォーマットを示す拡張TFCI(E-TFCI)を使用してUE12の電力ステータスをシグナリングしてもよい。TFCIに関する本明細書での説明は同様にE-TFCIにも適用可能である。一態様では、TFCIには10ビットが割り振られてもよい。一態様では、TFCIのビットのうちの少なくとも1つを使用してUEの電力ステータスを示してもよい。たとえば、最上位ビットが電力ステータスを示してもよい。たとえば、「1」の値が、UEが電力制限されていることを示してもよく、一方、「0」の値が通常動作を示してもよい。TFCIの残りのビットは、呼において使用される様々なトランスポートフォーマット組合せをシグナリングするのに適切である場合がある。別の態様では、たとえば、シグナリング構成要素26は、特定のCQI値を使用してUE12の電力ステータスを示してよい。たとえば、0のCQI値が、UEが電力制限されていることを示してもよい。一態様では、ネットワーク要素14は、UE12が電力制限されていることを示す電力ステータス指示を受信したときにダウンリンク送信を低減させるかまたは停止させてもよい。上述の例は、例示的で非制限的であり、したがって、他のインジケータを使用してUE12の電力ステータスに関する情報を提供してもよい。
【００２３】
チャネルスケーリング構成要素28は、アップリンクチャネルの送信電力をDPCCH44に対してスケーリングする(たとえば、調整する)ためのハードウェアまたは手段を含んでもよい。一態様では、送信電力をスケーリングすることは、特定のチャネルの送信電力を目標電力レベルに低減させることを含んでもよい。一態様では、たとえば、チャネルスケーリング構成要素28は、アップリンクチャネル用のトランスミッタによって使用される送信電力をDPCCH44に対してスケーリングするためのファームウェアまたはソフトウェアを実行するプロセッサを含んでもよく、あるいはそのプロセッサによって実行可能であってもよい。一態様では、チャネルスケーリング構成要素28は、HS-DPCCH42をDPCCH44に対してスケーリングしてもよい。たとえば、チャネルスケーリング構成要素28は、DPCCH電力に対するHS-DPCCH電力の比を低くしてもよい。一態様では、HS-DPCCH42の送信電力を、求められたレベルよりも低い電力に低下させる間、DPCCH44の送信電力は、一定のままであってもよい(あるいは必要であると判定されたときに一定のままであってもよい)。アップリンク信号40内の他のチャネルに関する電力レベルは、DPCCH44に対して一定のままであってもよい。たとえば、チャネルスケーリング構成要素28は、すべてのアップリンクチャネル用の総送信電力が最大許容送信電力を超えないようにHS-DPCCHの電力を低減させる場合がある。たとえば、チャネルスケーリング構成要素28は、最大許容送信電力に基づいてHS-DPCCHに関する利得係数、βhs、にスケーリング係数を適用してもよい。チャネルスケーリング構成要素28は、DPCCH44の送信電力をスケーリングする前にHS-DPCCH42の送信電力を零または不連続送信(DTX)にスケーリングしてもよい。
【００２４】
チャネルスケーリング構成要素28は、HS-DPCCH42をDPCCH44とは独立にスケーリングすることによって、DPCCH44および関連するチャネルが、DPDCH48上に呼、たとえばボイス呼を維持するためのより高い電力レベルを維持するのを可能にしてもよい。一態様では、チャネルスケーリング構成要素28は、HS-DPCCH42の一部のみ用の電力をスケーリングしてもよい。たとえば、チャネルスケーリング構成要素28は、HS-DPCCH42がCQIを伝送するタイムスロットの間HS-DPCCH42の送信電力を独立にスケーリングし、HS-DPCCH42がACKを伝送しているときにはHS-DPCCH42を独立にスケーリングすることを控えてもよい。
【００２５】
一態様では、チャネルスケーリング構成要素28は、UE12が電力制限されており、ダウンリンク活動タイマ22が満了したときにのみHS-DPCCH42の電力をスケーリングしてもよい。チャネルスケーリング構成要素28は、UEの総送信電力が割り振られた電力を超えていると判定したことに応答して、HS-DPCCH42の電力をスケーリングしてもよい。チャネルスケーリング構成要素28は、UE12がダウンリンク活動を有さないと判定したことに応答して、HS-DPCCH42の電力をスケーリングしてもよい。
【００２６】
フィードバックコントローラ30は、CQIフィードバックなどのダウンリンクに関するフィードバックを制御するためのハードウェアまたは手段を含んでもよい。一態様では、たとえば、フィードバックコントローラ30は、CQIサイクルを制御するためのファームウェアまたはソフトウェアを実行するプロセッサを含んでもよく、あるいはそのプロセッサによって実行可能であってもよい。CQIサイクルは、タイムスロットの数またはCQIの各送信間の送信時間間隔などの期間であってもよい。フィードバックコントローラ30は、CQIサイクルコントローラ32と命令処理構成要素34とを含んでもよい。
【００２７】
CQIサイクルコントローラ32は、ダウンリンクトラフィックがないと判定されたことに基づいてCQIサイクルを低減させるためのハードウェアまたは手段を含んでもよい。一態様では、たとえば、CQIサイクルコントローラ32は、CQIサイクルを低減させるためのファームウェアまたはソフトウェアを実行するプロセッサを含んでもよく、あるいはそのプロセッサによって実行可能であってもよい。たとえば、CQIサイクルコントローラ32は、ダウンリンク活動タイマ22が満了したことに応答してCQIサイクルを減らしてもよい。CQIサイクルコントローラ32は、CQIを通常のCQIフィードバックサイクルよりも少ない設定された値に減らしてもよい。たとえば、UE12は、1サブフレームおきにCQIを報告するのではなく、N個のサブフレームおきにCQIを報告してもよい。この場合、Nは1よりも大きい整数である。CQIサイクルコントローラ32は、UE12がCQIを報告するのを完全に停止させてもよい。CQIサイクルコントローラ32は、CQIサイクルを減らすことによって、UE12によってアップリンクにおいて送信されるデータの量を低減させてもよい。
【００２８】
命令処理構成要素34は、サービングセル(たとえば、ネットワークエンティティ14または15)から受信される制御命令を処理するためのハードウェアまたは手段を含んでもよい。一態様では、たとえば、命令処理構成要素34は、高速共有制御チャネル(HS-SCCH)命令を処理するためのファームウェアまたはソフトウェアを実行するプロセッサを含んでもよく、あるいはそのプロセッサによって実行可能であってもよい。HS-SCCH命令は、UE12を迅速に再構成するのに使用されてもよいダウンリンクHS-SCCH上で伝送される低レベル(たとえば、PHYレイヤまたはL1)コマンドであってもよい。たとえば、ネットワークエンティティ14は、ダウンリンク送信が差し迫っていることを示すHS-SCCH命令を発行してもよい。差し迫った送信は、ある期間またはサブフレーム数内にスケジューリングされた送信であってもよい。たとえば、HS-SCCH命令は、UE12に関するスケジューリングされたHS-DPCH送信までのある期間またはサブフレーム数を示してもよい。HS-SCCH命令は、特定の期間を提示せずに送信が差し迫っていることを示してもよい。命令処理構成要素34は、UE12のCQIサイクルを通常設定のCQIサイクルに戻してもよい。命令処理構成要素34は、直ちにCQI送信を行うことを示してもよい。たとえば、命令処理構成要素34は、次のサブフレームにおけるHS-DCCH上のCQIの送信をトリガしてもよい。CQIは、ダウンリンク送信をフォーマットするのに有用な情報を提供してもよい。HS-DCCHは、スケーリングされていない電力によって送信されてもよい。たとえば、UE12は、総電力レベルが最大許容送信電力を超える場合でもHS-DCCHを必要な電力レベルによって送信してもよい。別の例として、HS-DCCHは、(たとえば、一様なスケーリングを使用する)DPCCHに対してスケーリングされていない電力によって送信されてもよい。
【００２９】
図2は、電力制御の方法200を概念的に示す流れ図である。方法200は、モデム構成要素20を含むUE12によって実行されてもよい。
【００３０】
一態様では、ブロック210において、方法200は、UE12の総送信電力が割り振られた電力を超えていると判定することを含んでもよい。たとえば、一態様では、電力制御構成要素24は、UE12の総送信電力が割り振られた電力を超えていると判定してもよい。電力制御構成要素24は、最大許容送信電力およびアップリンクチャネルを送信するための電力に基づいてUE12が電力制限されていると判定してもよい。
【００３１】
ブロック220において、方法200は任意で、UE12の総送信電力が割り振られた電力を超えていることの指示を送信することを含んでもよい。一態様では、たとえば、ステータスシグナリング構成要素26は、UE12の総送信電力が割り振られた電力を超えていることの指示を送信してもよい。TFCIは、UE12の総送信電力が割り振られた電力を超えていることの指示を送信するのに使用されてもよい。たとえば、TFCIの最上位ビットは、UE12の総送信電力が割り振られた電力を超えていることを示してもよい。別の例として、0のCQI値は、UE12の総送信電力が割り振られた電力を超えていることを示してもよい。
【００３２】
ブロック230において、方法200は任意で、UE12がダウンリンク活動を有さないと判定することを含んでもよい。一態様では、たとえば、ダウンリンク活動タイマ22は、UE12がダウンリンク活動を有するかどうかを判定するのに使用されてもよい。たとえば、ダウンリンク活動タイマ22が満了している場合、UE12はダウンリンク活動を有さない可能性がある。ダウンリンク活動タイマ22が満了していない場合、UE12はダウンリンク活動を有する可能性がある。
【００３３】
ブロック240において、方法200は、HS-DPCCHの送信電力をDPCCHに対してスケーリングすることを含んでもよい。一態様では、たとえば、チャネルスケーリング構成要素28は、HS-DPCCHの送信電力をDPCCHに対してスケーリングしてもよい。HS-DPCCHの送信電力のスケーリングは、ブロック230において総送信電力が割り振られた電力を超えていると判定することおよび/またはUEがダウンリンク活動を有さないと判定することに応答して行われてもよい。チャネルスケーリング構成要素28は、HS-DPCCHのチャネル品質インジケータ部分を送信するための電力を低減させてもよい。さらに、ダウンリンク活動がない場合、電力スケーリング構成要素28は、HS-DPCCHのACK部分を送信するための電力を低減させてもよい。一態様では、HS-DPCCHの送信電力は、他のアップリンクチャネルにスケーリングが適用される前にスケーリングされてもよい。たとえば、チャネルスケーリング構成要素28は、最初にE-DCH用の送信電力をスケーリングし、次にHS-DPCCH用の送信電力をスケーリングし、次いで残りのアップリンクチャネル用の送信電力をスケーリングしてもよい。代替的に、HS-DPCCHはE-DCHよりも前にスケーリングされてもよい。
【００３４】
ブロック250において、方法200は任意で、CQIサイクルを減らすことを含んでもよい。一態様では、たとえば、CQIサイクルコントローラ32はCQIサイクルを減らしてもよい。CQIサイクルは、ブロック230においてUEがダウンリンク活動を有さないと判定したことに応答して減らされてもよい。CQIサイクルコントローラ32は、CQI送信間の通常の時間よりも長いCQI送信間の時間を求めてもよい。したがって、UE12は、CQI情報を送信する頻度を減らしてもよい。
【００３５】
ブロック260において、方法200は任意で、ダウンリンク送信が差し迫っていることの指示を受信することを含んでもよい。一態様では、たとえば、命令処理構成要素34は、ダウンリンク送信が差し迫っていることの指示を受信してもよい。たとえば、命令処理構成要素34は、データをHS-DSCH上でUEに送信することを示すHS-SCCH命令を受信してもよい。
【００３６】
ブロック270において、方法200は任意で、DPCCHに対してスケーリングされていない電力によってHS-DPCCHを送信することを含んでもよい。一態様では、たとえば、チャネルスケーリング構成要素28は、DPCCHに対してスケーリングされていない電力によってHS-DPCCHを送信してもよい。DPCCHに対してスケーリングされていない電力によってHS-DPCCHを送信することは、ダウンリンク送信が差し迫っていることの指示を受信したことに応答して行われてもよい。たとえば、チャネルスケーリング構成要素は、ダウンリンク送信が差し迫っていることの指示に応答してHS-DPCCHの電力を独立にスケーリングすることを控えてもよい。UE12は、HS-DPCCHを最大許容送信電力よりも低い状態を維持する必要に応じてDPCCHに対して依然として一様にスケーリングしてもよい。一態様では、命令処理構成要素34は、たとえばCQIサイクルが減らされた場合にスケーリングされていないHS-DPCCH上でのCQIの送信をトリガしてもよい。たとえば、命令処理構成要素34は、次の利用可能なサブフレームにおけるCQIの送信をトリガしてもよい。
【００３７】
図3は、アップリンクチャネルの電力スケーリングを示す概念図である。たとえば、アップリンクチャネルのスケーリングは、UE12内のチャネルスケーリング構成要素28(図1)によって実行されてもよい。最大許容送信電力310は、絶対グラントおよび/または相対グラントに基づいて電力制御構成要素24(図1)によって求められてもよい。最大許容送信電力310は、UEの特性によって制限されてもよい。たとえば、UE12は、絶対グラントによって、UE12が供給することのできる送信電力よりも高い送信電力が実現される場合でも、最大許容送信電力310よりも高い電力を送信できない場合がある。
【００３８】
送信320は、DPDCH326、HS-DPCCH324、およびDPCCH322を含むスケーリングされていないアップリンクチャネルを送信するための送信電力を示す場合がある。図を簡単にするために、E-DCHチャネルは示されていない。E-DCHチャネルは、構成されなくてもよく、あるいは他のアップリンクチャネルよりも前に送信電力を零にするようにスケーリングされてもよい。UE12は、最大許容送信電力310に起因して送信320のスケーリングされていないアップリンクチャネルを送信できない場合がある。したがって、スケーリングされていないアップリンクチャネル用の送信電力が最大許容送信電力を超えているのでUE12は電力を制限される場合がある。
【００３９】
送信330は、DPDCH336、HS-DPCCH334、およびDPCCH332を含む一様にスケーリングされたアップリンクチャネルを送信するための送信電力を示す場合がある。DPDCH336用の送信電力は、DPDCH326用の送信電力と比較して低減されてもよい。一態様では、DPDCH336がボイス呼などの遅延敏感アプリケーションを伝送するのに使用される場合、DPDCH336をスケーリングすると、送信エラー、呼品質の低下、および/または呼ドロップが生じる場合がある。
【００４０】
送信340は、HS-DPCCH344に選択的なスケーリングが適用され、DPCCH342およびDPDCH346にスケーリングが適用されないアップリンクチャネルを送信するための送信電力を示す場合がある。DPCCH342は、DPCCH322と同じ送信電力によって送信されてもよい。同様に、DPDCH346は、DPDCH326と同じ送信電力、すなわち、必要な送信電力によって送信されてもよい。したがって、DPDCH346は、DPDCH336よりもエラーなしで受信される可能性が高くなる場合がある。DPDCH336上で伝送されるボイス呼は、品質が低下する可能性がより低くなるかあるいはドロップされる可能性がより低くなる場合がある。
【００４１】
送信350は、HS-DPCCHの選択的な最大のスケーリングが使用されるときの送信電力を示す場合がある。送信350では、HS-DPCCHに電力が割り振られない場合がある。DPDCH356は、DPDCH326のスケーリングされていない送信電力によって送信されてもよい。アップリンクチャネル用の総送信電力は、最大許容送信電力310よりも低い場合がある送信電力360であってもよい。したがって、UE12は、送信電力を低減させ、適切な条件の下でHS-DPCCHの選択的なスケーリングを使用して呼品質を維持しつつ干渉の発生を低減させる場合がある。さらに、UE12は、一様なスケーリング動作および/または選択的なスケーリング動作を使用するように構成されてもよく、特定の動作条件または選好に従ってスケーリング動作を選択するように構成されてもよい。たとえば、UE12がダウンリンク活動を有さないときには選択的なスケーリングが使用されてもよい。さらに、選択的なスケーリングでは総送信電力が十分に低減されないときに、選択的なスケーリングの後に一様なスケーリングが適用されてもよい。
【００４２】
図4は、UE12とネットワークエンティティ14との間で送信されるメッセージを示す図を示す。メッセージ410は、ネットワークエンティティ14によって送信されUE12によって受信されるグラントであってもよい。グラントは、最大許容(割り振られた)送信電力を示してもよく、あるいは最大許容送信電力を求めるのに使用されてもよい。ブロック420で、UE12は、UE12が電力制限されていると判定してもよい。UE12からネットワークエンティティ14へのメッセージ430は、UE12が電力制限されていることを示すTFCIまたはCQIを含んでもよい。一態様では、ブロック440において、ネットワークエンティティ14は、UE12が電力制限されていることを示すメッセージ430を受信したことに応答してUE12へのダウンリンク送信を中断するかまたは場合によっては制限してもよい。ブロック450において、ネットワークエンティティ14がダウンリンクデータを送信していないのでUE12におけるダウンリンクタイマ22は満了してもよい。UE12からネットワークエンティティ14へのメッセージ460は、独立にスケーリングされたHS-DPCCHを含むアップリンク送信であってもよい。メッセージ460は、スケーリングされていないDPDCHおよびDPCCHなどの他のアップリンクチャネルを含んでもよい。メッセージ460は、たとえばDPDCHのフォーマットを示すTFCIならびにUE12の現在の電力ステータスのインジケータを含んでもよい。たとえば、UE12は、電力を制限された状態のままであってもよく、あるいはグラントが変更された場合にもはや電力を制限されなくてもよい。ブロック470において、ネットワークエンティティ14は、ダウンリンクが差し迫った状態であると判定してもよい。たとえば、ネットワークエンティティ14は、優先度の高い送信データを有する場合がある。たとえば、ネットワークエンティティ14からUE12へのメッセージ480は、ダウンリンク送信が差し迫っていることを示すHS-SCCH命令であってもよい。UE12からネットワークエンティティ14へのメッセージ490は、CQIを含むスケーリングされていないHS-DPCCHであってもよい。ネットワークエンティティ14からUE12へのメッセージ495は、CQIに基づいて選択されたトランスポートブロックサイズにおけるHS-DSCHにおいて伝送されるダウンリンクデータを含んでもよい。
【００４３】
図5は、モデム構成要素20を含む処理システム514を用いる装置500のためのハードウェア実装の一例を示すブロック図である。この例において、処理システム514は、バス502によって全体的に表されるバスアーキテクチャとともに実装されてもよい。バス502は、処理システム514の特定の用途および全体的な設計制約に応じて、任意の数の相互接続するバスおよびブリッジを含む場合がある。バス502は、プロセッサ504によって全体的に表される1つまたは複数のプロセッサと、コンピュータ可読記憶媒体506によって全体的に表されるコンピュータ可読記憶媒体とを含む様々な回路を互いにリンクする。バス502は、タイミングソース、周辺機器、電圧調整器、および電力管理回路などの様々な他の回路をリンクさせてもよいが、これらの回路は当技術分野でよく知られており、したがって、これ以上は説明しない。バスインターフェース508は、バス502とトランシーバ510との間のインターフェースを構成する。トランシーバ510は、送信媒体を通じて様々な他の装置と通信するための手段を提供する。装置の性質に応じて、ユーザインターフェース512(たとえば、キーパッド、ディスプレイ、スピーカー、マイクロフォン、ジョイスティック)が設けられてもよい。
【００４４】
プロセッサ504は、バス502の管理と、コンピュータ可読記憶媒体506上に記憶されたソフトウェアの実行を含む一般的な処理とを担当する。ソフトウェアは、プロセッサ504によって実行されると、任意の特定の装置のために以下で説明される様々な機能を処理システム514に実行させる。コンピュータ可読記憶媒体506は、ソフトウェアを実行するときにプロセッサ504によって操作されるデータを記憶するためにも使用され得る。
【００４５】
モデム構成要素20は、処理システム514の送信(たとえば、電力レベル送信)を制御するように構成されたハードウェアを含んでもよい。モデム構成要素20は、別個の構成要素であってもよく、あるいはプロセッサ504またはコンピュータ可読記憶媒体506と一体化されてもよい。モデム構成要素20は、アップリンクチャネルを送信しダウンリンクチャネルを受信するためのトランシーバ510を制御してもよい。モデム構成要素20は、コンピュータ可読記憶媒体506に記憶されプロセッサ504によって使用されてもよいステータス情報を更新してもよい。
【００４６】
さらに、モデム構成要素20(図1)は、プロセッサ504およびコンピュータ可読記憶媒体506の任意の1つまたは複数によって実装されてもよい。たとえば、プロセッサおよび/またはコンピュータ可読記憶媒体506は、モデム構成要素20を介して、ユーザ機器(たとえば、UE12)の電力を制御するように構成されてもよい。したがって、モデム構成要素20は、ハードウェア、ソフトウェア、ファームウェアなどとして実装されてもよい。
【００４７】
本開示全体にわたって提示される様々な概念は、幅広い種類の電気通信システム、ネットワークアーキテクチャ、および通信規格にわたって実施されてもよい。限定はされないが例として、図1〜図5に示される本開示の態様を、W-CDMAエアインターフェースを採用するUMTSシステム600を参照して提示する。UMTSネットワークは、コアネットワーク(CN)604、UMTS地上無線アクセスネットワーク(UTRAN)602、およびユーザ機器(UE)610の3つの相互作用するドメインを含む。UE610は、UE12に相当し、セキュリティモードプロシージャを実行するためのモデム構成要素20を含んでもよい。
【００４８】
この例では、UTRAN602は、電話、ビデオ、データ、メッセージング、放送、および/または他のサービスを含む様々なワイヤレスサービスを提供する。UTRAN602は、無線ネットワークコントローラ(RNC)606などのそれぞれのRNCによって各々が制御される、無線ネットワークサブシステム(RNS)607などの複数のRNSを含んでもよい。ここで、UTRAN602は、本明細書で示されるRNC606およびRNS607に加えて、任意の数のRNC606およびRNS607を含んでもよい。RNC606は、とりわけ、RNS607内で無線リソースを割り当て、再構成し、かつ解放することを担う装置である。RNC606は、任意の適切なトランスポートネットワークを使用する、直接の物理接続、仮想ネットワークなどのような様々なタイプのインターフェースを通じて、UTRAN602中の他のRNC(図示されず)に相互接続されてもよい。
【００４９】
UE610とノードB608との間の通信は、物理(PHY)層と媒体アクセス制御(MAC)層とを含むものと見なされてもよい。さらに、それぞれのノードB608によるUE610とRNC606との間の通信は、無線リソース制御(RRC)層を含むものと見なされてもよい。本明細書では、PHYレイヤはレイヤ1と見なされてもよく、MACレイヤはレイヤ2と見なされてもよく、RRCレイヤはレイヤ3と見なされてもよい。本明細書の情報では、RRCプロトコル仕様において導入された用語を利用する。
【００５０】
RNS607によってカバーされる地理的領域は、いくつかのセルに分割されてもよく、無線トランシーバ装置が各セルにサービスする。無線トランシーバ装置は通常、UMTS用途ではノードBと呼ばれるが、当業者によって、基地局(BS)、基地局装置(BTS)、無線基地局、無線トランシーバ、トランシーバ機能、基本サービスセット(BSS)、拡張サービスセット(ESS)、アクセスポイント(AP)、または何らかの他の適切な用語で呼ばれることもある。説明を明快にするために、各RNS607に3つのノードB608が示されているが、RNS607は、任意の数のワイヤレスノードBを含んでもよい。ノードB608は、ワイヤレスアクセスポイントを任意の数のモバイル装置のためのCN604に提供する。モバイル装置の例は、携帯電話、スマートフォン、セッション開始プロトコル(SIP)電話、ラップトップ、ノートブック、ネットブック、スマートブック、携帯情報端末(PDA)、衛星ラジオ、全地球測位システム(GPS)デバイス、マルチメディアデバイス、ビデオデバイス、デジタルオーディオプレーヤ(たとえば、MP3プレーヤ)、カメラ、ゲームコンソール、または任意の他の同様の機能デバイスを含む。モバイル装置は、通常、UMTS用途ではUEと呼ばれるが、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、端末、ユーザエージェント、モバイルクライアント、クライアント、または何らかの他の適切な用語で呼ばれることもある。UMTSシステムでは、UE610は、ネットワークへのユーザの加入情報を含むユニバーサル加入者識別モジュール(USIM)611をさらに含む場合がある。説明のために、1つのUE610がいくつかのノードB608と通信しているように示されている。順方向リンクとも呼ばれるダウンリンク(DL)は、ノードB608からUE610への通信リンクを指し、逆方向リンクとも呼ばれるULは、UE610からノードB608への通信リンクを指す。
【００５１】
CN604は、UTRAN602のような1つまたは複数のアクセスネットワークとインターフェースをとる。示されるように、CN604は、GSM(登録商標)コアネットワークである。しかしながら、当業者が認識するように、UEがGSM(登録商標)ネットワーク以外のタイプのCNにアクセスするのを可能にするために、本開示全体にわたって提示される様々な概念は、RANまたは他の適切なアクセスネットワークにおいて実施されてもよい。
【００５２】
CN604は、回線交換(CS)領域とパケット交換(PS)領域とを含む。回線交換要素の一部は、モバイルサービススイッチングセンタ(MSC: Mobile Services Switching Centre)、ビジタロケーションレジスタ(VLR: Visitor Location Register)、およびゲートウェイMSC(GMSC)である。パケット交換要素は、サービングGPRSサポートノード(SGSN: Serving GPRS Support Node)と、ゲートウェイGPRSサポートノード(GGSN: Gateway GPRS Support Node)とを含む。EIR、HLR、VLR、およびAuCのようないくつかのネットワーク要素は、回線交換ドメインとパケット交換ドメインとの両方によって共有されてもよい。示される例では、CN604は、MSC612およびGMSC614によって回線交換サービスをサポートする。いくつかの適用例では、GMSC614は、メディアゲートウェイ(MGW)と呼ばれてもよい。RNC606などの1つまたは複数のRNCが、MSC612に接続されてもよい。MSC612は、呼設定、呼ルーティング、およびUEモビリティ機能を制御する装置である。MSC612は、UEがMSC612のカバレッジエリア中にある間に加入者関連の情報を格納するVLRも含む。GMSC614は、UEが回線交換ネットワーク616にアクセスするためのMSC612を通じてゲートウェイを提供する。GMSC614は、特定のユーザが加入したサービスの詳細を反映するデータなどの加入者データを含む、ホームロケーションレジスタ(HLR)615を含む。HLRはまた、加入者固有の認証データを含むauthentication center(AuC)と関連付けられる。特定のUE向けの呼が受信されると、GMSC614は、UEの位置を決定するためにHLR615に問い合わせ、その位置においてサービスする特定のMSCに呼を転送する。
【００５３】
CN604はまた、サービングGPRSサポートノード(SGSN)618およびゲートウェイGPRSサポートノード(GGSN)620によって、パケットデータサービスをサポートする。汎用パケット無線サービスを表すGPRSは、標準の回線交換データサービスによって可能な速度よりも高速なパケットデータサービスを提供するように設計されている。GGSN620は、パケットベースのネットワーク622へのUTRAN602のための接続を提供する。パケットベースネットワーク622は、インターネット、プライベートデータネットワーク、またはなにか他の適切なパケットベースネットワークであってもよい。GGSN620の主な機能は、パケットベースネットワークの接続性をUE610に提供することである。データパケットは、MSC612が回線交換領域において実行するのと同じ機能をパケットベース領域において主に実行するSGSN618を通じて、GGSN620とUE610との間で転送されてもよい。
【００５４】
UMTSのエアインターフェースは、スペクトル拡散直接シーケンス符号分割多元接続(DS-CDMA)システムを利用してもよい。スペクトル拡散DS-CDMAは、チップと呼ばれる擬似ランダムビットのシーケンスとの乗算を介してユーザデータを拡散する。UMTSの「広帯域」W-CDMAエアインターフェースは、そのような直接シーケンススペクトル拡散技術に基づいており、加えて周波数分割複信(FDD)を必要とする。FDDは、ノードB608とUE610との間のULおよびDLに異なる搬送波周波数を使用する。DS-CDMAを利用し、時分割複信(TDD)を使用するUMTSの別のエアインターフェースは、TD-SCDMAエアインターフェースである。本明細書で説明される様々な例は、W-CDMAエアインターフェースを指す場合があるが、基礎をなす原理はTD-SCDMAエアインターフェースに同様に適用可能である場合があることが、当業者には認識されよう。
【００５５】
HSPAエアインターフェースは、スループットの向上およびレイテンシの低減を容易にする、3G/W-CDMAエアインターフェースに対する一連の拡張を含む。前のリリースに対する修正の中でもとりわけ、HSPAは、ハイブリッド自動再送要求(HARQ)、チャネル送信の共有、ならびに適応変調およびコーディングを利用する。HSPAを定義する規格は、HSDPA(High Speed Downlink Packet Access)およびHSUPA(High Speed Uplink Packet Access、Enhanced UplinkまたはEULとも呼ばれる)を含む。
【００５６】
HSDPAは、そのトランスポートチャネルとして高速ダウンリンク共有チャネル(HS-DSCH)を利用する。HS-DSCHは、高速物理ダウンリンク共有チャネル(HS-PDSCH)、高速共有制御チャネル(HS-SCCH)、および高速専用物理制御チャネル(HS-DPCCH)という、3つの物理チャネルによって実装される。
【００５７】
これらの物理チャネルの中でも、HS-DPCCHは、対応するパケット送信の復号が成功したかどうかを示すために、HARQ ACK/NACKシグナリングをアップリンク上で搬送する。つまり、ダウンリンクに関して、UE610は、ダウンリンク上のパケットを正常に復号したかどうかを示すために、HS-DPCCHを通じてフィードバックをノードB608に与える。
【００５８】
HS-DPCCHはさらに、変調方式と符号化方式の選択、およびプリコーディングの重みの選択に関して、ノードB608が正しい決定を下すのを助けるための、UE610からのフィードバックシグナリングを含み、このフィードバックシグナリングはチャネル品質インジケータ(CQI)とプリコーディング制御情報(PCI)とを含む。
【００５９】
「HSPA Evolved」またはHSPA+は、MIMOおよび64-QAMを含むHSPA規格の進化形であり、スループットの増大およびパフォーマンスの向上を可能にする。つまり、本開示のある態様では、ノードB608および/またはUE610は、MIMO技術をサポートする複数のアンテナを有してもよい。MIMO技術の使用により、ノードB608は空間領域を活用して、空間多重化、ビームフォーミング、および送信ダイバーシティをサポートすることが可能になる。
【００６０】
多入力多出力(MIMO)は、マルチアンテナ技術、すなわち複数の送信アンテナ(チャネルへの複数の入力)および複数の受信アンテナ(チャネルからの複数の出力)を指す際に一般に使用される用語である。MIMOシステムは一般にデータ伝送パフォーマンスを高め、ダイバーシティ利得がマルチパスフェージングを低減させて伝送品質を高めること、および空間多重化利得がデータスループットを向上させることを可能にする。
【００６１】
空間多重化は、同じ周波数で同時にデータの様々なストリームを送信するために使用されてもよい。データストリームは、データレートを向上させるために単一のUE610に送信されてよく、または、全体的なシステム容量を増大させるために複数のUE610に送信されてよい。これは、各データストリームを空間的にプリコーディングし、次いで空間的にプリコーディングされた各ストリームをダウンリンク上で異なる送信アンテナを通じて送信することによって達成される。空間的にプリコーディングされたデータストリームは、様々な空間シグニチャを伴いUE610に到着し、これによりUE610の各々は、そのUE610に向けられた1つまたは複数のデータストリームを回復することが可能になる。アップリンク上では、各UE610は、1つまたは複数の空間的にプリコーディングされたデータストリームを送信することができ、これによりノードB608は、空間的にプリコーディングされた各データストリームのソースを特定することが可能になる。
【００６２】
空間多重化は、チャネル状態が良好なときに使用されてもよい。チャネル状態がさほど好ましくないときは、送信エネルギーを1つもしくは複数の方向に集中させるために、またはチャネルの特性に基づいて送信を改善するために、ビームフォーミングが使用されてもよい。このことは、複数のアンテナを介して送信するデータストリームを空間的にプリコーディングすることによって達成される場合がある。セルの端において良好なカバレージを達成するために、シングルストリームビームフォーミング伝送が送信ダイバーシティと組み合わせて使用されてもよい。
【００６３】
一般に、n個の送信アンテナを利用するMIMOシステムの場合、同じチャネル化コードを利用して同じキャリアを通じてn個のトランスポートブロックが同時に送信されてもよい。n個の送信アンテナを介して送信されるそれぞれに異なるトランスポートブロックは、同じ変調およびコーディング方式を有してもあるいは互いに異なる変調およびコーディング方式を有してもよいことに留意されたい。
【００６４】
一方、単入力多出力(SIMO)は一般に、単一の送信アンテナ(チャネルへの単一の入力)および複数の受信アンテナ(チャネルからの複数の出力)を利用するシステムを指す。したがって、SIMOシステムでは、単一のトランスポートブロックがそれぞれのキャリアを通じて送信される。
【００６５】
図7を参照すると、UTRANアーキテクチャにおけるアクセスネットワーク700が示されている。多元接続ワイヤレス通信システムは、セル702、704、および706を含む複数のセルラー領域(セル)を含み、セルの各々は、1つまたは複数のセクタを含んでもよい。UE730、732、734、736、738、740の各々は、UE12(図1)に相当し、モデム構成要素20を含んでもよい。複数のセクタはアンテナのグループによって形成することが可能であり、各々のアンテナがセルの一部分にあるUEとの通信を担う。たとえば、セル702において、アンテナグループ712、714、および716は、各々異なるセクタに対応する場合がある。セル704において、アンテナグループ718、720、および722は各々、異なるセクタに対応する。セル706において、アンテナグループ724、726、および728は各々、異なるセクタに対応する。セル702、704、および706は、各セル702、704、または706の1つまたは複数のセクタと通信する場合がある、いくつかのワイヤレス通信デバイス、たとえばユーザ機器すなわちUEを含んでもよい。たとえば、UE730および732は、ノードB742と通信していてよく、UE734および736は、ノードB744と通信していてよく、UE738および740は、ノードB746と通信していてよい。ここで、各ノードB742、744、746は、それぞれのセル702、704、および706の中のすべてのUE730、732、734、736、738、740のために、CN604(図6参照)へのアクセスポイントを提供するように構成される。
【００６６】
UE734がセル704における図示された位置からセル706に移動するとき、サービングセル変更(SCC)またはハンドオーバーが行われることがあり、UE734との通信が、ソースセルと呼ばれ得るセル704からターゲットセルと呼ばれ得るセル706に移行する。UE734において、それぞれのセルに対応するノードBにおいて、無線ネットワークコントローラ606(図6参照)において、またはワイヤレスネットワークにおける別の適切なノードにおいて、ハンドオーバー手順の管理が行われてもよい。たとえば、ソースセル704との呼の間、または任意の他の時間において、UE734は、ソースセル704の様々なパラメータ、ならびに、セル706および702などの隣接セルの様々なパラメータを監視してもよい。さらに、これらのパラメータの品質に応じて、UE734は、隣接セルのうちの1つまたは複数との通信を維持してもよい。この時間の間、UE734は、アクティブセット、すなわち、UE734が同時に接続されるセルのリストを維持してもよい(すなわち、ダウンリンク専用物理チャネル(DPCH)または断片的ダウンリンク専用物理チャネル(F-DPCH)をUE734に現在割り当てているUTRAセルが、アクティブセットを構成してもよい)。
【００６７】
アクセスネットワーク700によって採用される変調および多元接続方式は、展開されている具体的な電気通信規格に応じて異なってもよい。例として、規格には、エボリューションデータオプティマイズド(EV-DO)またはウルトラモバイルブロードバンド(UMB)を含めてもよい。EV-DOおよびUMBは、CDMA2000規格ファミリーの一部として第3世代パートナーシッププロジェクト2(3GPP2)によって公表されたエアインターフェース規格であり、CDMAを利用して移動局がブロードバンドインターネットアクセスを行うのを可能にする。規格は代替的に、広帯域CDMA(W-CDMA)およびTD-SCDMAなどのCDMAの他の変形形態を用いるUniversal Terrestrial Radio Access(UTRA)、TDMAを用いるモバイル通信用グローバルシステム(GSM(登録商標))、ならびにOFDMAを用いる発展型UTRA(E-UTRA)、ウルトラモバイルブロードバンド(UMB)、IEEE 802.11(Wi-Fi)、IEEE 802.16(WiMAX)、IEEE 802.20、およびFlash-OFDMであってもよい。UTRA、E-UTRA、UMTS、LTE、LTEアドバンスト、およびGSM(登録商標)は、3GPP団体による文書に記述されている。CDMA2000およびUMBについては、3GPP2団体による文書に記載されている。利用される実際のワイヤレス通信規格および多元接続技術は、具体的な適用例およびシステムに課された全体的な設計制約に依存する。
【００６８】
無線プロトコルアーキテクチャは、具体的な適用例に応じて様々な形態を取ってもよい。次に、HSPAシステムの例を図8を参照して提示する。
【００６９】
図8を参照すると、例示的な無線プロトコルアーキテクチャ800は、ユーザ機器(UE)またはノードB/基地局のユーザプレーン802および制御プレーン804に関係する。たとえば、アーキテクチャ800は、UE12(図1)などのUEに含まれてもよい。UEおよびノードBのための無線プロトコルアーキテクチャ800は、レイヤ1 806、レイヤ2 808、およびレイヤ3 810という3つの層で示されている。レイヤ1 806は最下位レイヤであり、様々な物理レイヤの信号処理機能を実装する。したがって、レイヤ1 806は、物理層807を含む。レイヤ2(L2レイヤ)808は、物理層807の上にあり、物理層807を通じたUEとノードBとの間のリンクを担う。レイヤ3(L3レイヤ)810は、無線リソース制御(RRC)サブレイヤ815を含む。RRCサブレイヤ815は、UEとUTRANとの間のレイヤ3の制御プレーンシグナリングを扱う。モデム構成要素20は、レイヤ1において送信電力を制御するように動作してもよいが、レイヤ2の制御およびレイヤ3のシグナリングを実行してもよい。
【００７０】
ユーザプレーンでは、L2レイヤ808は、媒体アクセス制御(MAC)サブレイヤ809、無線リンク制御(RLC)サブレイヤ811、およびパケットデータコンバージェンスプロトコル(PDCP)サブレイヤ813を含み、これらはネットワーク側のノードBで終端する。図示されていないが、UEは、ネットワーク側のPDNゲートウェイで終端するネットワークレイヤ(たとえば、IPレイヤ)、および接続の他端(たとえば、遠端のUE、サーバなど)で終端するアプリケーションレイヤを含む、L2レイヤ808の上のいくつかの上位レイヤを有し得る。
【００７１】
PDCP813は、異なる無線ベアラと論理チャネルとの間で多重化を行う。PDCPサブレイヤ813はサブレイヤまた、無線送信のオーバーヘッドを低減するための上位レイヤデータパケットのためのヘッダ圧縮、データパケットの暗号化によるセキュリティ、および、ノードB間のUEのためのハンドオーバーのサポートを実現する。RLCサブレイヤ811は、上位レイヤのデータパケットのセグメント化および再構築、失われたデータパケットの再送信、ならびに、ハイブリッド自動再送要求(HARQ)による順序の狂った受信を補償するためのデータパケットの並べ替えを行う。MACサブレイヤ809は、論理チャネルとトランスポートチャネルとの間で多重化を行う。MACサブレイヤ809は、1つのセル中の様々な無線リソース(たとえば、リソースブロック)をUEの間で割り振ることも担当する。MACサブレイヤ809は、HARQ動作も担当する。
【００７２】
図9は、UE950と通信しているノードB910のブロック図であり、ノードB910は、図1のネットワークエンティティ14または図6のノードB208であってもよく、UE950は、図1のUE12または図6のUE210であってもよい。ダウンリンク通信において、送信プロセッサ920が、データソース912からデータを受信し、コントローラ/プロセッサ940から制御信号を受信する場合がある。送信プロセッサ920は、データ信号および制御信号、ならびに基準信号(たとえば、パイロット信号)のための様々な信号処理機能を提供する。たとえば、送信プロセッサ920は、誤り検出のための巡回冗長検査(CRC)コード、順方向誤り訂正(FEC)を容易にするためのコーディングおよびインターリービング、様々な変調方式(たとえば、二位相偏移変調(BPSK)、四位相偏移変調(QPSK)、M位相偏移変調(M-PSK)、M直交振幅変調(M-QAM)など)に基づく信号コンスタレーションへのマッピング、直交可変拡散率(OVSF)による拡散、ならびに、一連のシンボルを生成するためのスクランブリングコードとの乗算を行ってもよい。チャネルプロセッサ944からのチャネル推定値が、送信プロセッサ920のためのコーディング、変調、拡散、および/またはスクランブル方式を決定するために、コントローラ/プロセッサ940によって使用される場合がある。これらのチャネル推定は、UE950によって送信される基準信号から、またはUE950からのフィードバックから導出される場合がある。送信プロセッサ920によって生成されたシンボルは、フレーム構造を生成するために、送信フレームプロセッサ930に提供される。送信フレームプロセッサ930は、コントローラ/プロセッサ940からの情報でシンボルを多重化することによって、このフレーム構造を作成し、一連のフレームが得られる。次いで、これらのフレームはトランスミッタ932に供給され、トランスミッタ932は、アンテナ934を介したワイヤレス媒体によるダウンリンク送信のために、増幅、フィルタリング、およびフレームのキャリア上への変調を含む、様々な信号調整機能を実行する。アンテナ934は、たとえば、ビームステアリング双方向適応アンテナアレイまたは他の同様のビーム技術を含む、1つまたは複数のアンテナを含む場合がある。
【００７３】
UE950において、レシーバ954は、アンテナ952を介してダウンリンク送信信号を受信し、キャリア上に変調された情報を復元するためにその送信信号を処理する。レシーバ954によって復元された情報は、受信フレームプロセッサ960に提供され、受信フレームプロセッサ960は、各フレームを解析し、フレームからの情報をチャネルプロセッサ994に提供し、データ信号、制御信号、および基準信号を受信プロセッサ970に提供する。受信プロセッサ970は、次いで、ノードB910において送信プロセッサ920によって実施される処理の逆の処理を実施する。より具体的には、受信プロセッサ970は、シンボルを逆スクランブルおよび逆拡散し、次いで変調方式に基づいて、ノードB910によって送信された、最も可能性の高い信号コンスタレーション点を求める。これらの軟判定は、チャネルプロセッサ994によって計算されるチャネル推定値に基づく場合がある。次いで、軟判定は、データ信号、制御信号、および基準信号を復元するために、復号されデインターリーブされる。その後、フレームの復号に成功したかどうかを判定するために、CRCコードが検査される。次いで、復号に成功したフレームによって搬送されたデータがデータシンク972に提供され、データシンク972は、UE950および/または様々なユーザインターフェース(たとえば、ディスプレイ)において実行されるアプリケーションを表す。復号に成功したフレームによって搬送される制御信号は、コントローラ/プロセッサ990に供給される。受信プロセッサ970によるフレームの復号が失敗すると、コントローラ/プロセッサ990は、これらのフレームの再送信要求をサポートするために、肯定応答(ACK)プロトコルおよび/または否定応答(NACK)プロトコルを使用する場合もある。チャネルプロセッサ994は、ダウンリンクチャネルに関するチャネル条件を判定し、CQIを生成してもよい。ACK/NACKおよびCQIは、HS-DPCCH上で基地局910に送信されてもよい。モデム構成要素20は、上述のように動作してもよく、たとえば、UE950が電力制限されておりならびに/あるいはUE950へのダウンリンクトラフィックがないときにHS-DPCCHの送信電力をスケーリングしてもよい。一態様では、モデム構成要素20は、コントローラ/プロセッサ990、送信フレームプロセッサ982、および/またはトランスミッタ956と一体化されるかまたはコントローラ/プロセッサ990、送信フレームプロセッサ982、および/またはトランスミッタ956によって実装されてもよい。
【００７４】
アップリンクにおいて、データソース978からのデータ、および、コントローラ/プロセッサ990からの制御信号が、送信プロセッサ980に供給される。データソース978は、UE950および種々のユーザインターフェース(たとえば、キーボード)において実行されているアプリケーションを表してもよい。ノードB910によるダウンリンク送信に関して説明した機能と同様に、送信プロセッサ980は、CRCコード、FECを容易にするためのコーディングおよびインターリービング、信号コンスタレーションへのマッピング、OVSFによる拡散、ならびに、一連のシンボルを生成するためのスクランブル処理を含む、種々の信号処理機能を実行する。ノードB910によって送信される基準信号から、または、ノードB910によって送信されるミッドアンブル中に含まれるフィードバックから、チャネルプロセッサ994によって導出されるチャネル推定値を用いて、適切なコーディング、変調、拡散、および/またはスクランブル方式を選択してもよい。送信プロセッサ980によって生成されるシンボルは、フレーム構造を生成するために、送信フレームプロセッサ982に提供されることになる。送信フレームプロセッサ982は、コントローラ/プロセッサ990からの情報でシンボルを多重化することによって、このフレーム構造を作成し、一連のフレームが得られる。次いで、これらのフレームはトランスミッタ956に供給され、トランスミッタ956は、アンテナ952を通じたワイヤレス媒体によるアップリンク送信のために、増幅、フィルタリング、およびフレームのキャリア上への変調を含む、様々な信号調整機能を実行する。
【００７５】
アップリンク送信は、UE950において受信機機能に関して説明したのと同様の方式で、ノードB910において処理される。レシーバ935は、アンテナ934を介してアップリンク送信信号を受信し、キャリア上に変調された情報を復元するためにその送信信号を処理する。レシーバ935によって復元された情報は、受信フレームプロセッサ936に提供され、受信フレームプロセッサ936は、各フレームを解析し、フレームからの情報をチャネルプロセッサ944に提供し、データ信号、制御信号、および基準信号を受信プロセッサ938に提供する。受信プロセッサ938は、UE950内の送信プロセッサ980によって実行される処理の逆の処理を実行する。復号に成功したフレームによって搬送されたデータおよび制御信号は、次いで、それぞれデータシンク939およびコントローラ/プロセッサに提供される場合がある。受信プロセッサによるフレームの一部の復号が失敗した場合、コントローラ/プロセッサ940は、これらのフレームの再送信要求をサポートするために、肯定応答(ACK)プロトコルおよび/または否定応答(NACK)プロトコルを使用する場合もある。
【００７６】
コントローラ/プロセッサ940および990は、それぞれノードB910およびUE950における動作を命令するために使用されてもよい。たとえば、コントローラ/プロセッサ940および990は、タイミング、周辺機器インターフェース、電圧レギュレーション、電力管理、および他の制御機能を含む、様々な機能を提供する場合がある。メモリ942および992のコンピュータ可読記憶媒体は、それぞれ、ノードB910およびUE950のためのデータおよびソフトウェアを記憶することができる。ノードB910におけるスケジューラ/プロセッサ946は、UEにリソースを割り振り、UEのためのダウンリンク送信および/またはアップリンク送信をスケジュールするために使用される場合がある。
【００７７】
通信システムのいくつかの態様をW-CDMAシステムを参照して提示した。当業者が容易に諒解するように、本開示全体にわたって説明する様々な態様は、他の電気通信システム、ネットワークアーキテクチャ、および通信規格に拡張されてもよい。
【００７８】
例として、様々な態様は、TD-SCDMA、High Speed Downlink Packet Access(HSDPA)、High Speed Uplink Packet Access(HSUPA)、High Speed Packet Access Plus(HSPA+)およびTD-CDMAなどの他のUMTSシステムに拡張されてもよい。様々な態様はまた、Long Term Evolution(LTE)(FDD、TDD、またはこれら両方のモードの)、LTE-Advanced(LTE-A)(FDD、TDD、またはこれら両方のモードの)、CDMA2000、Evolution-Data Optimized(EV-DO)、ウルトラモバイルブロードバンド(UMB)、IEEE 802.11(Wi-Fi)、IEEE 802.16(WiMAX)、IEEE 802.20、Ultra-Wideband(UWB)、Bluetooth(登録商標)、および/または他の適切なシステムを利用するシステムに拡張されてもよい。利用される実際の電気通信標準規格、ネットワークアーキテクチャ、および/または通信規格は、具体的な用途、およびシステムに課される全体的な設計制約によって決まる。
【００７９】
本開示の様々な態様によれば、要素または要素の任意の一部分または要素の任意の組合せは、1つまたは複数のプロセッサを含む「処理システム」を実装される場合がある。プロセッサの例には、マイクロプロセッサ、マイクロコントローラ、デジタル信号プロセッサ(DSP)、フィールドプログラマブルゲートアレイ(FPGA)、プログラマブル論理デバイス(PLD)、ステートマシン、ゲート論理、個別ハードウェア回路、および本開示全体にわたって説明される様々な機能を実行するように構成された他の適切なハードウェアがある。処理システム中の1つまたは複数のプロセッサは、ソフトウェアを実行してもよい。ソフトウェアは、ソフトウェア、ファームウェア、ミドルウェア、マイクロコード、ハードウェア記述言語と呼ばれるか、または他の名称で呼ばれるかどうかにかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、プロシージャ、機能などを意味するように広く解釈されるべきである。ソフトウェアは、コンピュータ可読記憶媒体上に存在してもよい。コンピュータ可読記憶媒体は、非一時的コンピュータ可読記憶媒体であってもよい。非一時的コンピュータ可読記憶媒体は、例として、磁気記憶デバイス(たとえば、ハードディスク、フロッピー(登録商標)ディスク、磁気ストリップ)、光ディスク(たとえば、コンパクトディスク(CD)、デジタル多目的ディスク(DVD))、スマートカード、フラッシュメモリデバイス(たとえば、カード、スティック、キードライブ)、ランダムアクセスメモリ(RAM)、読取り専用メモリ(ROM)、プログラマブルROM(PROM)、消去可能PROM(EPROM)、電気的消去可能PROM(EEPROM)、レジスタ、取り外し可能ディスク、ならびに、コンピュータがアクセスし読み取る場合があるソフトウェアおよび/または命令を記憶するための任意の他の適切な媒体を含む。コンピュータ可読記憶媒体には、例として、搬送波、送信路、ならびに、コンピュータがアクセスし読み取る場合があるソフトウェアおよび/または命令を送信するための任意の他の適切な媒体を含む場合もある。コンピュータ可読記憶媒体は、処理システム中に存在し、処理システムの外部に存在し、または処理システムを含む複数のエンティティにわたって分散される場合がある。コンピュータ可読記憶媒体は、コンピュータプログラム製品において具現化されてもよい。例として、コンピュータプログラム製品は、パッケージング材料の中のコンピュータ可読記憶媒体を含んでもよい。当業者は、具体的な適用例および全体的なシステムに課された設計制約全体に応じて、本開示全体にわたって提示された説明された機能を最善の形で実装する方法を認識するであろう。
【００８０】
開示された方法におけるステップの具体的な順序または階層は、例示的なプロセスの例示であることを理解されたい。設計の選好に基づいて、方法におけるステップの具体的な順序または階層は再構成され得ることを理解されたい。添付の方法クレームは、様々なステップの要素を例示的な順序で提示したものであり、そのクレーム内で具体的に列挙されない限り、提示された具体的な順序または階層に限定されることは意図されない。
【００８１】
上記の説明は、本明細書で説明する様々な態様を当業者が実践できるようにするために与えられている。これらの態様に対する様々な変更形態は、当業者に容易に明らかになり、本明細書において規定される一般原理は、他の態様に適用される場合がある。したがって、特許請求の範囲は本明細書において示される態様に限定されることを意図するものではなく、特許請求の範囲の文言と一致するすべての範囲を許容すべきであり、単数の要素への言及は、「唯一の」と明記されない限り、「唯一の」ではなく、「1つまたは複数の」を意味することを意図している。別段に明記されていない限り、「いくつかの」という用語は1つまたは複数の、を指す。項目のリスト「のうちの少なくとも1つ」について言及する句は、単一のメンバーを含むそれらの項目の任意の組合せを指す。一例として、「a、b、またはcのうちの少なくとも1つ」は、a、b、c、aおよびb、aおよびc、bおよびc、ならびにa、bおよびcを含むことが意図される。当業者に知られているまたは後で当業者に知られることになる、本開示全体にわたって説明した様々な態様の要素の構造的および機能的なすべての均等物は、参照により本明細書に明確に組み込まれ、特許請求の範囲によって包含されることが意図される。さらに、本明細書に開示されたものは、そのような開示が特許請求の範囲において明示的に列挙されているかどうかにかかわらず、公に供されることは意図されていない。請求項のいかなる要素も、「のための手段」という句を使用して要素が明示的に列挙されていない限り、または方法クレームの場合、「のためのステップ」という句を使用して要素が列挙されていない限り、米国特許法第112条(f)項の規定の下で解釈されるべきではない。
【符号の説明】
【００８２】
10  ワイヤレス通信システム
12  UE
14  ネットワークエンティティ
16  ネットワーク
20  モデム構成要素
22  ダウンリンク活動タイマ
24  電力制御構成要素
26  ステータスシグナリング構成要素
28  チャネルスケーリング構成要素
30  フィードバックコントローラ
32  CQIサイクルコントローラ
34  命令処理構成要素
40  アップリンク信号
42  HS-DPCCH
44  DPCCH
46  E-DCH
48  DPDCH
50  ダウンリンク信号
208  ノードB
310  最大許容送信電力
320  送信
322  DPCCH
326  DPDCH
336  DPDCH
346  DPDCH
350  送信
360  送信電力
410  メッセージ
430  メッセージ
460  メッセージ
480  メッセージ
490  メッセージ
495  メッセージ
500  装置
502  バス
504  プロセッサ
506  コンピュータ可読記憶媒体
508  バスインターフェース
510  トランシーバ
512  ユーザインターフェース
514  処理システム
600  UMTSシステム
602  UTRAN
604  コアネットワーク
606  無線ネットワークコントローラ
607  無線ネットワークコントローラ
608  ノードB
610  UE
612  MSC
614  GMSC
615  HLR
616  回線交換ネットワーク
618  SGSN
620  GGSN
622  パケットベースネットワーク
700  アクセスネットワーク
702  セル
704  セル
706  セル
712  アンテナグループ
714  アンテナグループ
716  アンテナグループ
718  アンテナグループ
720  アンテナグループ
722  アンテナグループ
724  アンテナグループ
726  アンテナグループ
728  アンテナグループ
730  UE
732  UE
734  UE
736  UE
738  UE
740  UE
742  ノードB
744  ノードB
746  ノードB
800  無線プロトコルアーキテクチャ
802  ユーザプレーン
804  制御プレーン
807  物理レイヤ
806  レイヤ1
808  レイヤ2
809  MACサブレイヤ
810  レイヤ3
811  RLCサブレイヤ
813  NDCPサブレイヤ
815  RRCサブレイヤ
910  ノードB、基地局
912  データソース
920  送信プロセッサ
930  送信フレームプロセッサ
932  トランスミッタ
934  アンテナ
935  レシーバ
936  受信フレームプロセッサ
938  受信プロセッサ
939  データシンク
940  コントローラ/プロセッサ
942  メモリ
944  チャネルプロセッサ
946  スケジューラ/プロセッサ
952  アンテナ
954  レシーバ
956  トランスミッタ
960  受信フレームプロセッサ
970  受信プロセッサ
972  データシンク
978  データソース
980  送信プロセッサ
982  送信フレームプロセッサ
990  コントローラ/プロセッサ
994  チャネルプロセッサ
【図１】
0006553077.tif 000002
【図２】
0006553077.tif 000003
【図３】
0006553077.tif 000004
【図４】
0006553077.tif 000005
【図５】
0006553077.tif 000006
【図６】
0006553077.tif 000007
【図７】
0006553077.tif 000008
【図８】
0006553077.tif 000009
【図９】
0006553077.tif 000010